【手続補正書】
【提出日】平成16年9月21日(2004.9.21)
【手続補正１】
【補正対象書類名】明細書
【補正対象項目名】特許請求の範囲
【補正方法】変更
【補正の内容】
【特許請求の範囲】
【請求項１】
液晶組成物が、一般式（I-1）
【化１】
1999100579.tif 000001
（式中、Ｘ11はフッ素原子、塩素原子、-ＣＦ3、-ＯＣＦ3又は-ＣＮを表し、Ｙ11及びＹ12は各々独立的に水素原子又はフッ素原子を表し、Ｚ11は単結合、-Ｃ≡Ｃ-又は-ＣＯＯ-を表す。）で表される１種又は２種以上の化合物からなる液晶成分Ａを含有し、−２〜＋２の誘電率異方性を有する化合物からなる液晶成分Ｂを０〜７０重量％含有し、＋２以上の誘電率異方性を有する化合物からなる液晶成分Ｃを０〜９５重量％含有し、該液晶成分Ｂと該液晶成分Ｃの総和が５〜９９重量％であることを特徴とするネマチック液晶組成物。
【請求項２】
前記液晶成分Ａが、一般式（I-1）におけるＸ11がフッ素原子で表される化合物及び／又はＹ11及びＹ12がフッ素原子で表される化合物を３０〜１００重量％含有することを特徴とする請求項１記載のネマチック液晶組成物。
【請求項３】
前記液晶組成物が、前記液晶成分Ａを１〜５０重量％含有することを特徴とする請求項１又は２記載のネマチック液晶組成物。
【請求項４】
前記液晶成分Ｂが、一般式（II-1）〜（II-4）
【化２】
1999100579.tif 000002
（式中、Ｒ21〜Ｒ24は各々独立的に炭素原子数２〜７の直鎖状アルキル基又はアルケニル基を表し、Ｒ25〜Ｒ28は各々独立的に炭素原子数１〜７の直鎖状アルキル基あるいはアルコキシ基、炭素原子数２〜７のアルケニル基あるいはアルケニルオキシ基又はＣu Ｈ2u+1-Ｏ-Ｃv Ｈ2vを表し、ｕ及びｖは各々独立的に１〜５の整数を表し、Ｙ21〜Ｙ23は各々独立的に水素原子又はフッ素原子を表し、Ｙ21はまた-ＣＨ3であってもよく、Ｚ21〜Ｚ24は各々独立的に単結合、-ＣＯＯ-、-Ｃ2Ｈ4-又は-Ｃ4Ｈ8-を表し、Ｚ21はまた-Ｃ≡Ｃ-又は-ＣＨ＝ＣＨ-であってもよく、Ｚ25は単結合、-Ｃ≡Ｃ-、-ＣＯＯ-又は-ＣＦ＝ＣＦ-を表し、環Ａ21及び環Ａ22は各々独立的にシクロヘキサン環又はシクロヘキセン環を表し、環Ａ23及び環Ａ24は各々独立的にシクロヘキサン環又はベンゼン環を表し、ｎ1〜ｎ5は各々独立的に０又は１の整数を表し、ｎ4＋ｎ5は０又は１であり、各化合物におけるシクロヘキサン環の水素原子（Ｈ）は重水素原子（Ｄ）で置換されていても良い。）で表される化合物群から選ばれる化合物を１種又は２種以上含有することを特徴とする請求項１、２又は３記載のネマチック液晶組成物。
【請求項５】
前記液晶成分Ｂが、前記一般式（II-1）の化合物において、Ｒ21が炭素原子数２〜５の直鎖状アルキル基又はアルケニル基を表し、Ｒ25が炭素原子数１〜５の直鎖状アルキル基あるいはアルコキシ基又は炭素原子数２〜５の直鎖状アルケニル基あるいはアルケニルオキシ基を表す場合であって、ｎ1が０のとき、Ｚ22が単結合又は-ＣＯＯ-で表される化合物及び／又はｎ1が１のとき、環Ａ21がシクロヘキサン環を表し、Ｚ21、Ｚ22単結合で表される化合物を１０〜１００重量％含有することを特徴とする請求項４記載のネマチック液晶組成物。
【請求項６】
前記液晶成分Ｂが、前記一般式（II-2）の化合物において、Ｒ22が炭素原子数２〜５の直鎖状アルキル基又はアルケニル基を表し、Ｒ26が炭素原子数１〜５の直鎖状アルキル基あるいはアルコキシ基又は炭素原子数２〜５の直鎖状アルケニル基あるいはアルケニルオキシ基を表す場合であって、ｎ2が０のとき、環Ａ22がシクロヘキサン環又はシクロヘキセン環であり、Ｚ23が単結合、-ＣＯＯ-又は-Ｃ2Ｈ4-で表される化合物及び／又はｎ2が１のとき、環Ａ22がシクロヘキサン環であり、Ｚ23が単結合又は-Ｃ2Ｈ4-で表される化合物を１０〜１００重量％含有することを特徴とする請求項４又は５記載のネマチック液晶組成物。
【請求項７】
前記液晶成分Ｂが、前記一般式（II-3）の化合物において、Ｚ25が単結合又は-Ｃ≡Ｃ-で表される化合物を１０〜１００重量％含有することを特徴とする請求項４、５又は６記載のネマチック液晶組成物。
【請求項８】
前記液晶成分Ｂが、前記一般式（II-4）の化合物において、Ｒ24が炭素原子数２〜５の直鎖状アルキルを表し、Ｒ28が炭素原子数１〜５の直鎖状アルキル基あるいはアルコキシ基で表される化合物を１０〜１００重量％含有することを特徴とする請求項４、５、６又は７記載のネマチック液晶組成物。
【請求項９】
前記液晶成分Ｃが、一般式（III-1）〜（III-4）
【化３】
1999100579.tif 000003
（式中、Ｒ31〜Ｒ34は各々独立的に炭素原子数２〜１０の直鎖状アルキル基、アルケニル基又はＣs Ｈ2s+1-ＯＣtＨ2tを表し、ｓ及びｔは各々独立的に１〜５の整数を表し、Ｘ31〜Ｘ34は各々独立的にフッ素原子、塩素原子、-ＯＣＦ3、-ＯＣＨＦ2、-ＣＦ3又は-ＣＮを表し、Ｙ31〜Ｙ38は各々独立的に水素原子又はフッ素原子を表し、Ｗ31〜Ｗ34は各々独立的に水素原子又はフッ素原子を表し、Ｚ31〜Ｚ33は各々独立的に単結合、-ＣＯＯ-、-Ｃ2Ｈ4-又は-Ｃ4Ｈ8-を表し、Ｚ31はまた-Ｃ≡Ｃ-又は-ＣＨ＝ＣＨ-であってもよく、Ｚ34、Ｚ35は各々独立的に単結合、-ＣＯＯ-、-Ｃ≡Ｃ-又は-ＣＦ＝ＣＦ-を表し、ｍ1〜ｍ4は各々独立的に０又は１を表し、ｍ3＋ｍ4は０又は１であり、各化合物におけるシクロヘキサン環の水素原子（Ｈ）が重水素原子（Ｄ）で置換されていても良い。）で表される化合物群から選ばれる化合物を含有することを特徴とする請求項１乃至８記載のネマチック液晶組成物。
【請求項１０】
前記液晶成分Ｃが、前記一般式（III-1）〜（III-4）におけるＲ31〜Ｒ34が炭素原子数２〜５のアルキル基又はアルケニル基である化合物及び／又はＸ31〜Ｘ34がフッ素原子、塩素原子、-ＯＣＦ3又は-ＣＮである化合物を１０〜１００重量％含有することを特徴とする請求項９記載のネマチック液晶組成物。
【請求項１１】
前記液晶成分Ｃが、前記一般式（III-1）の化合物におけるＺ31、Ｚ32が単結合、-ＣＯＯ-、-Ｃ2Ｈ4-又は-Ｃ4Ｈ8-で表される化合物を１０〜１００重量％含有することを特徴とする請求項９又は１０記載のネマチック液晶組成物。
【請求項１２】
前記液晶成分Ｃが、前記一般式（III-2）の化合物におけるＺ34が単結合、-ＣＯＯ-又は-Ｃ≡Ｃ-で表される化合物を１０〜１００重量％含有することを特徴とする請求項９、１０又は１１記載のネマチック液晶組成物。
【請求項１３】
前記液晶成分Ｃが、前記一般式（III-3）の化合物におけるＺ35が単結合又は-Ｃ≡Ｃ-で表される化合物を少なくとも１０重量％含有することを特徴とする請求項９、１０、１１又は１２記載のネマチック液晶組成物。
【請求項１４】
前記液晶組成物が、４個の六員環を有したコア構造の化合物であって、該化合物の液晶相−等方性液体相転移温度が１００℃以上を有する化合物を1種又は２種以上含有することを特徴とする請求項１乃至１３記載のネマチック液晶組成物。
【請求項１５】
前記液晶組成物が、４〜３０の誘電率異方性であり、０．０８〜０．３３の複屈折率であり、６０℃〜１８０℃のネマチック相−等方性液体相転移温度であり、−２００℃〜０℃の結晶相、スメクチック相又はガラス相−ネマチック相転移温度であることを特徴とする請求項１乃至１４記載のネマチック液晶組成物。
【請求項１６】
前記液晶組成物に、誘起螺旋ピッチが０．５〜１０００μｍとなる光学活性基を有する化合物を含有することを特徴とする請求項１乃至１５記載のネマチック液晶組成物。
【請求項１７】
請求項１６記載のネマチック液晶組成物を用いたアクティブ・マトリクス、ツイスティッド・ネマチック又はスーパー・ツイスティッド・ネマチック液晶表示装置。
【請求項１８】
液晶層の厚みが１〜３０μｍであることを特徴とする請求項１７記載の液晶表示装置。
【請求項１９】
請求項１乃至１６記載の液晶組成物及び透明性固体物質を含有する調光層を有する光散乱形液晶表示装置。
【請求項２０】
前記調光層において、前記液晶組成物が連続層をなし、該連続層中に前記透明性固体物質が均一な三次元網目状構造を形成することを特徴とする請求項１９記載の光散乱形液晶表示装置。
【請求項２１】
前記透明性固体物質が、高分子形成性２官能性モノマー及び単官能性モノマーを含有した重合性組成物から形成することを特徴とする請求項１９又は２０記載の光散乱形液晶表示装置。